【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
前扉に透明窓が形成された遊技機であって、
前記透明窓の裏面側に所定の間隔を置いて配置され、外周面に複数種類の図柄が描かれるとともに、外周面に再帰性反射材がコーティングされたリールと、
所定の条件が成立した場合に、前記リールの回転に同期した前記リールの後側の映像の投射光を投射することで、前記リールの前側に前記リールの後側の映像を映し出す投射手段と、
を備えることを特徴とする遊技機。
【請求項２】
前扉に透明窓が形成された遊技機であって、
前記透明窓の裏面側に所定の間隔を置いて配置され、外周面に複数種類の図柄が描かれるとともに、外周面に再帰性反射材がコーティングされたリールと、
前記リールと前記透明窓の間に配置し、背面側から入射した光の一部を反射し、背面側から入射した光の一部を透過するハーフミラーと、
前記ハーフミラーより背面側に配置し、所定の条件が成立した場合に、前記リールの回転に同期した前記リールの後側の映像の投射光を前記ハーフミラーの背面の斜め方向から投射することで、前記リールの前側に前記リールの後側の映像を映し出す投射手段と、
を備えることを特徴とする遊技機。
【請求項３】
前記リールの後側の撮像を行う撮像手段を更に備え、
前記投射手段は、前記撮像手段が撮像した前記リールの後側の映像を即時に投射光に変換して出射することを特徴とする請求項２に記載の遊技機。
【請求項４】
前記撮像手段は、前記リールに対する撮像位置を前記リールの回転方向に沿って調整可能な状態でリールの後側の撮像を行うことを特徴とする請求項３に記載の遊技機。
【請求項５】
外部操作により前記リールを停止させる停止手段と、
前記停止手段が外部操作されることで停止した前記リールの停止角度を検出し、この場合の検出結果に基づいて前記撮像手段の撮像位置の調整を行う撮像位置調整手段と、
を更に備えることを特徴とする請求項４に記載の遊技機。
【請求項６】
前記リールの後側の撮像を行う撮像手段を更に備え、
前記投射手段は、前記撮像手段が撮像した前記リールの後側の映像を調整可能な遅延時間を置いて投射光に変換して出射することを特徴とする請求項２に記載の遊技機。
【請求項７】
外部操作によりリールを停止させる停止手段と、
前記停止手段が外部操作されることで停止した前記リールの停止角度を検出し、この場合の検出結果に基づいて前記投射手段における前記遅延時間の調整を行う遅延時間調整手段と、
を更に備えることを特徴とする請求項６に記載の遊技機。
【請求項８】
前記撮像手段は、前記リールの後側の上下左右反転した前記図柄及びその周辺部の撮像を行い、
前記投射手段は、所定の条件が成立した場合に前記撮像手段が撮像した上下左右反転した前記図柄及びその周辺部の映像を左右のみ反転した前記図柄及びその周辺部の映像に変換して前面に表示する映像表示パネルと、当該映像表示パネルの前面側に取付けられ当該映像表示パネルの前面に表示される映像の光を前方から見て上下左右反転する方向に屈折させ前記投射光として出射する投射レンズとを備え、
前記リールの前側には、前記投射レンズからの投射光が前記ハーフミラーの背面で反射して投射されることで、前記リールの後側の図柄をリールの内周側から見た状態と同様の映像が映し出されることを特徴とする請求項３乃至７のいずれかに記載の遊技機用演出装置。
【請求項９】
前扉に透明窓が形成された遊技機であって、
前記透明窓の裏面側に所定の間隔を置いて配置され、外周面に複数種類の図柄が描かれるとともに、外周面に再帰性反射材がコーティングされたリールと、
前記リールの図柄及びその周辺部と略同一の映像を予め記憶したビデオメモリと、
前記リールと前記透明窓の間に配置し、背面側から入射した光の一部を反射し、背面側から入射した光の一部を透過するハーフミラーと、
前記ハーフミラーより背面側に配置し、所定の条件が成立した場合に、前記リールの回転に同期して前記ビデオメモリが記憶した映像を投射光に変換して前記ハーフミラーの背面の斜め方向から投射することで、前記リールの前側に前記ビデオメモリが記憶した映像を映し出す投射手段と、
を備えることを特徴とする遊技機。
【請求項１０】
外部操作によりリールを停止させる停止手段と、
前記停止手段が外部操作されることで停止した前記リールの停止角度を検出し、この場合の検出結果に基づいて前記リールの回転に対する前記投射手段の映像の投射タイミングの同期調整を行う同期調整手段と、
を更に備えることを特徴とする請求項９に記載の遊技機。
【請求項１１】
前記投射手段は、所定の条件が成立した場合にビデオメモリが記憶した映像を左右のみ反転した前記図柄及びその周辺部の映像として前面に表示する映像表示パネルと、当該映像表示パネルの前面側に取付けられ当該映像表示パネルの前面に表示される映像の光を前方から見て上下左右反転する方向に屈折させ前記投射光として出射する投射レンズとを備え、
前記リールの前側には、前記投射レンズからの投射光が前記ハーフミラーの背面で反射して投射されることで、前記リールの後側の図柄をリールの内周側から見た状態と同様の映像が映し出されることを特徴とする請求項９または１０に記載の遊技機。
【手続補正２】
【補正対象書類名】明細書
【補正対象項目名】０００７
【補正方法】変更
【補正の内容】
【０００７】
請求項１に記載の発明は、前扉に透明窓が形成された遊技機であって、前記透明窓の裏面側に所定の間隔を置いて配置され、外周面に複数種類の図柄が描かれるとともに、外周面に再帰性反射材がコーティングされたリールと、所定の条件が成立した場合に、前記リールの回転に同期した前記リールの後側の映像の投射光を投射することで、前記リールの前側に前記リールの後側の映像を映し出す投射手段と、を備えることを特徴とする。
請求項２に記載の発明は、前扉に透明窓が形成された遊技機であって、前記透明窓の裏面側に所定の間隔を置いて配置され、外周面に複数種類の図柄が描かれるとともに、外周面に再帰性反射材がコーティングされたリールと、前記リールと前記透明窓の間に配置し、背面側から入射した光の一部を反射し、背面側から入射した光の一部を透過するハーフミラーと、前記ハーフミラーより背面側に配置し、所定の条件が成立した場合に、前記リールの回転に同期した前記リールの後側の映像の投射光を前記ハーフミラーの背面の斜め方向から投射することで、前記リールの前側に前記リールの後側の映像を映し出す投射手段と、を備えることを特徴とする。
【手続補正３】
【補正対象書類名】明細書
【補正対象項目名】０００８
【補正方法】変更
【補正の内容】
【０００８】
前記遊技機は、前記リールの後側の撮像を行う撮像手段を更に備え、前記投射手段は、前記撮像手段が撮像した前記リールの後側の映像を即時に投射光に変換して出射することを特徴とする（請求項３）。
【手続補正４】
【補正対象書類名】明細書
【補正対象項目名】０００９
【補正方法】変更
【補正の内容】
【０００９】
前記撮像手段は、前記リールに対する撮像位置を前記リールの回転方向に沿って調整可能な状態でリールの後側の撮像を行うことを特徴とする（請求項４）。
【手続補正５】
【補正対象書類名】明細書
【補正対象項目名】００１０
【補正方法】変更
【補正の内容】
【００１０】
前記遊技機は、外部操作により前記リールを停止させる停止手段と、前記停止手段が外部操作されることで停止した前記リールの停止角度を検出し、この場合の検出結果に基づいて前記撮像手段の撮像位置の調整を行う撮像位置調整手段と、を更に備えることを特徴とする特徴とする（請求項５）。
【手続補正６】
【補正対象書類名】明細書
【補正対象項目名】００１１
【補正方法】変更
【補正の内容】
【００１１】
前記遊技機は、前記リールの後側の撮像を行う撮像手段を更に備え、前記投射手段は、前記撮像手段が撮像した前記リールの後側の映像を調整可能な遅延時間を置いて投射光に変換して出射することを特徴とする（請求項６）。
【手続補正７】
【補正対象書類名】明細書
【補正対象項目名】００１２
【補正方法】変更
【補正の内容】
【００１２】
前記遊技機は、外部操作によりリールを停止させる停止手段と、前記停止手段が外部操作されることで停止した前記リールの停止角度を検出し、この場合の検出結果に基づいて前記投射手段における前記遅延時間の調整を行う遅延時間調整手段と、を更に備えることを特徴とする（請求項７）。
【手続補正８】
【補正対象書類名】明細書
【補正対象項目名】００１３
【補正方法】変更
【補正の内容】
【００１３】
前記撮像手段は、前記リールの後側の上下左右反転した前記図柄及びその周辺部の撮像を行い、前記投射手段は、所定の条件が成立した場合に前記撮像手段が撮像した上下左右反転した前記図柄及びその周辺部の映像を左右のみ反転した前記図柄及びその周辺部の映像に変換して前面に表示する映像表示パネルと、当該映像表示パネルの前面側に取付けられ当該映像表示パネルの前面に表示される映像の光を前方から見て上下左右反転する方向に屈折させ前記投射光として出射する投射レンズとを備え、前記リールの前側には、前記投射レンズからの投射光が前記ハーフミラーの背面で反射して投射されることで、前記リールの後側の図柄をリールの内周側から見た状態と同様の映像が映し出されることを特徴とする（請求項８）。
【手続補正９】
【補正対象書類名】明細書
【補正対象項目名】００１４
【補正方法】変更
【補正の内容】
【００１４】
請求項９に記載の発明は、前扉に透明窓が形成された遊技機であって、前記透明窓の裏面側に所定の間隔を置いて配置され、外周面に複数種類の図柄が描かれるとともに、外周面に再帰性反射材がコーティングされたリールと、前記リールの図柄及びその周辺部と略同一の映像を予め記憶したビデオメモリと、前記リールと前記透明窓の間に配置し、背面側から入射した光の一部を反射し、背面側から入射した光の一部を透過するハーフミラーと、前記ハーフミラーより背面側に配置し、所定の条件が成立した場合に、前記リールの回転に同期して前記ビデオメモリが記憶した映像を投射光に変換して前記ハーフミラーの背面の斜め方向から投射することで、前記リールの前側に前記ビデオメモリが記憶した映像を映し出す投射手段と、を備えることを特徴とする。
【手続補正１０】
【補正対象書類名】明細書
【補正対象項目名】００１５
【補正方法】変更
【補正の内容】
【００１５】
前記遊技機は、外部操作によりリールを停止させる停止手段と、前記停止手段が外部操作されることで停止した前記リールの停止角度を検出し、この場合の検出結果に基づいて前記リールの回転に対する前記投射手段の映像の投射タイミングの同期調整を行う同期調整手段と、を更に備えることを特徴とする（請求項１０）。
【手続補正１１】
【補正対象書類名】明細書
【補正対象項目名】００１６
【補正方法】変更
【補正の内容】
【００１６】
前記投射手段は、所定の条件が成立した場合にビデオメモリが記憶した映像を左右のみ反転した前記図柄及びその周辺部の映像として前面に表示する映像表示パネルと、当該映像表示パネルの前面側に取付けられ当該映像表示パネルの前面に表示される映像の光を前方から見て上下左右反転する方向に屈折させ前記投射光として出射する投射レンズとを備え、前記リールの前側には、前記投射レンズからの投射光が前記ハーフミラーの背面で反射して投射されることで、前記リールの後側の図柄をリールの内周側から見た状態と同様の映像が映し出されることを特徴とする（請求項１１）。